(57)【要約】【課題】本発明は、患者の過冷感を防止しながらも、容易に液漏れを察知できるようにした腕カバーを提供することを課題とした。【解決手段】  本発明１の腕カバーは、伸縮性布生地からなり、装着時の前腕及び上腕を脱落しない程度であって血流を阻害しない程度に締め付ける太さの筒状に形成されていて、少なくとも肘関節内面に対応する箇所の上下に長いスリット状の開口が形成されていることを特徴とし、又、その伸縮性布生地は、局部的な血行妨害が生じずに装着時に患者の腕の凹凸に倣って変形する柔軟性を有することを特徴とし、又、前腕の内側中央に対応する箇所にも第二のスリット状開口が形成されていることを特徴とする。【選択図】図１
2014180523.tif 000002
【特許請求の範囲】
【請求項１】
長時間の点滴や人工透析等のときに患者を保護するために、その前腕から上腕に掛けて覆う腕カバーであって、伸縮性生地からなり、装着時の前腕及び上腕を脱落しない程度であって血流を阻害しない程度の締め付ける太さの筒状に形成されていて、少なくとも肘関節内面に対応する箇所に開口が形成されていることを特徴とする腕カバー。
【請求項２】
請求項１に記載の腕カバーにおいて、その伸縮性生地は、装着時に患者の腕の血行を妨げない程度の軽圧力で腕表面に接触する弾性を有することを特徴とする腕カバー。
【請求項３】
請求項１又は２に記載の腕カバーにおいて、前記開口はスリット状であることを特徴とする腕カバー。
【発明の詳細な説明】
【技術分野】
【０００１】  本発明は、長時間の点滴や人工透析等のときに患者を保護するために使用する腕カバーに関する。
【背景技術】
【０００２】  長時間の点滴や人工透析等の注射針を長時間患者に留置する必要のある場合は、注射針から漏れがないかを監視する必要上、患者の腕は暴露された状態で放置されることとなる。
またこのような治療を受けている場合は、患者は腕を動かすようなことができず、例え室内が適度な温度に保たれていたとしても、過冷感を感じざるを得ない。
このような問題を解決するために、特許文献１に示すような腕カバーを提案し、このような患者の過冷感を防止することができたが、処置中の薬液や血液の漏洩に、看護師などが気付きにくいという問題が生じたため、特許文献２に示すように、透明シートを用いて、注液箇所を外部から覗き易くした。
しかし、多数の患者を監視するのに、患部を覗き込むのは、意外と手間のかかるものであり、このような動作を行わなくとも、容易に漏れを発見できることが望まれていた。
【先行技術文献】
【特許文献】
【０００３】
【特許文献１】特開２００６−１６７４１５号公報
【特許文献２】特開２００６−２６３４１５公報
【発明の概要】
【発明が解決しようとする課題】
【０００４】  本発明はこのような実情に鑑み、患者の過冷感を防止しながらも、容易に液漏れを察知できるようにした腕カバーを提供することを課題とした。
【課題を解決するための手段】
【０００５】  本発明１の腕カバーは、伸縮性布生地からなり、装着時の前腕及び上腕を脱落しない程度であって血流を阻害しない程度に締め付ける太さの筒状に形成されていて、少なくとも肘関節内面に対応する箇所に開口が形成されていることを特徴とする。
本発明２は、発明１の腕カバーにおいて、その伸縮性布生地は、局部的な血行妨害が生じずに装着時に患者の腕の凹凸に倣って変形する柔軟性を有することを特徴とする。
本発明３は、発明１又は２の腕カバーにおいて、前記開口がスリット状であることを特徴とする。
【発明の効果】
【０００６】  発明１により、腕カバーは、装着時に腕にフィットして、その保温性により過冷感を防止すると共に、液漏れが生じた場合は、漏れた液が腕カバーの直ちに吸収され、当該箇所に変色が生じることとなる。
その結果、担当の看護師などは、患部を覗き込むような動作なしに、腕カバーの局部的な変色により、容易に液漏れを察知できるようになった。
また、発明２のようにすることで、腕の血行を妨げることがなくなったので、腕にフィットしながらも処置中の滞留などの事故が生じないものである。
さらに、発明３のようにスリット状の開口を設けることで、注射針挿入に必要最小限の箇所を開口することができるのみならず、非装着状態では、図２に示すように自動的に閉じた状態となり、一枚の扁平な布のようになって、容易に折畳むことができるので、収納や運送にスペースをとることもなくなった。
【図面の簡単な説明】
【０００７】
【図１】本発明の腕カバーの実施例の装着状態を示す平面図。
【図２】図１に示す腕カバーの非装着状態を示す平面図。
【図３】図２のＡ−Ａ断面図。
【符号の説明】（Ｂ）腕
（Ｃ）前腕の内側
（Ｄ）肘関節の内側
（１）腕カバー
（２）（３）スリット状開口
（４）手首側開口
（５）上腕側開口
（６）逢着部【０００９】
【発明を実施するための形態】
【００１０】  近年、伸縮性と柔軟性を兼ね備えたストレッチ生地が開発され、多くの衣服に利用されている。
また、柔軟性生地として古くから用いられてきたニット生地においても、前記スレッチ生地に用いられているスパンデックス等の伸縮性糸にて編上げた高伸縮性ニット生地が市販されている。
本発明は、このような高い伸縮性と柔軟性を有する布生地の特性と、その吸液性を利用したものである。
【実施例】
【００１１】  本発明の実施例を図１から３を参照して説明する。
腕カバー（１）は、台形の布生地を逢着部（６）にて逢着して筒状に形成したもので、患者の手首から上腕中央部に至る長さを有するものである。
そして、その両端には、手首側開口（４）、上腕側開口（５）を有していて、これらを利用して図１に示すように患者の腕に装着できるようにしてある。
また、前記逢着部（６）の中間部には、逢着しないスリット状の開口（２）（３）が形成してある。
当該スリット状開口（２）（３）は、装着時に、患者の腕の前腕の内側（Ｃ）と肘関節の内側（Ｄ）に対向する位置に形成して、注射針の挿抜に支障が無いようにしてある。
また、布生地は、図中横方向に高い伸縮性と柔軟性を有する１ＷＡＹストレッチ生地を用い、腕の凹凸に倣って容易に変形しながらも、腕の血行を阻害するほどには締め付けないようにしてある。
このため、腕カバー（１）の長さと太さは、生地の伸縮性と柔軟性の限界を超えないように、人の腕の太さや長さに適合するように、数段階の大きさにしたものを用意するのが好ましく、患者の腕の大きさに応じて、血行を阻害せずにフィットする大きさの腕カバーを用いることとする。
なお、当該生地をニット生地とするのも何らの問題はなく、ニット生地では、円筒形に編み立てることも可能であるから、逢着部（６）を不要にすることも可能である。
また、このように一枚の布生地により腕カバーを構成したので、非装着時は、図３に示すように凹凸のない扁平形状となるので、収納、輸送に極めて便利で、限られた空間である処置室にでも、大小の患者に対応する為の多数のサイズのものを容易に保有することができる。
なお、スリット状開口（２）（３）は、腕カバー（１）の太さと腕の太さの差が変われば、その開口具合も変化するので、過剰に開いている場合は、腕カバーの太さが腕の太さに比べ過小であることを示しており、腕の血行阻害が生じる可能性を示すこととなる。
つまり、当該スリット状開口は、腕カバーと腕との太さの適合性を示すインジケータとしての効果も果たしえるものである。【００１２】  手首側開口（４）には、連続して手を収納するための袋を形成することも可能である。
また、その袋を手袋状に形成して、患者の手指の自由度を維持することも可能である。
【図１】
2014180523.tif 000003
【図２】
2014180523.tif 000004
【図３】
2014180523.tif 000005